(57)【要約】【課題】カタログに記載されている商品をバーコードを用いて特定する場合、サイズや色の種類が多いとその組み合わせ分のバーコードを印刷物に設ける必要がり、カタログなどの印刷物のページ数を増やす必要が発生する。【解決手段】光学情報読取装置により印刷物に設けられた光学情報を読み取り、印刷物に記載された数値コードを光学情報読取装置にキー入力することで印刷物に記載された商品を特定することができるので、商品を特定するために多くの光学情報を作成して印刷物に設ける必要がなくなり、印刷物のページの増加等を抑制することができる。【選択図】図１
2005142903.tif 000002
【特許請求の範囲】
【請求項１】
カタログなどの印刷物と光学情報読取装置により行う商品の特定方法であって、前記印刷物は、この印刷物の複数の頁に設けられておりこの印刷物とその頁を特定する光学情報と、前記印刷物に記載された商品に関連する数字で表される数値コードとを有し、前記光学情報読取装置は、前記光学情報を読み取る光学情報読取部と、前記数値コードを入力するためのキー入力部と、読み取った情報および入力された情報を処理する信号処理部と、前記信号処理部で処理された情報を記憶する記憶部とを有し、前記光学情報読取部により読み取った光学情報と、前記キー入力部により入力された数値コードにより前記印刷物に記載された商品の特定を行う商品の特定方法。
【請求項２】
カタログなどの印刷物と、光学情報読取装置と、前記光学情報読取装置から情報を受け取る外部機器と、前記外部機器からの情報を受け取り商品の発注を管理するホストとからなる商品発注システムであって、前記印刷物は、この印刷物の複数の頁に設けられおりこの印刷物とその頁を特定する光学情報と、前記印刷物に記載された商品に関連する数字で表される数値コードとを有し、前記光学情報読取装置は、前記光学情報を読み取る光学情報読取部と、前記数値コードを入力するためのキー入力部と、読み取った情報および入力された情報を処理する信号処理部と、前記信号処理部で処理された情報を記憶する記憶部と、前記記憶部に記憶した情報を前記外部機器に送信する送信部とを有し、前記外部機器は、前記光学情報読取装置からの情報を受け取る受信部と、前記ホストへ情報を送信する送信部とを有し、前記ホストは、前記外部機器からの情報を受け取る受信部とを有し、前記光学情報読取部により読み取った光学情報と、前記キー入力部により入力された数値コードを前記外部機器を介して前記ホストに伝達することで前記印刷物に記載された商品を特定して商品の発注を行う商品発注システム。
【請求項３】
カタログなどの印刷物と前記印刷物とは別冊子である補助印刷物と光学情報読取装置により行う商品の特定方法であって、前記印刷物は複数の商品とこれら商品各々に対応付けられた光学情報を有し、前記補助印刷物は前記商品に対応付けられた補助光学情報を有し、前記光学情報読取装置は、前記光学情報や前記補助光学情報を読み取る光学情報読取部と、読み取った情報を処理する信号処理部と、前記信号処理部で処理された情報を記憶する記憶部とを有し、前記光学情報読取部により光学情報と補助光学情報を読み取ることで前記印刷物に記載された商品の特定を行う商品の特定方法。
【請求項４】
カタログなどの印刷物と、前記印刷物とは別冊子である補助印刷物と、光学情報読取装置と、前記光学情報読取装置から情報を受け取る外部機器と、前記外部機器からの情報を受け取り商品の発注を管理するホストとからなる商品発注システムであって、前記印刷物は複数の商品とこれら商品各々に対応付けられた光学情報を有し、前記補助印刷物は前記商品に対応付けられた補助光学情報を有し、前記光学情報読取装置は、前記光学情報や前記補助光学情報を読み取る光学情報読取部と、読み取った情報を処理する信号処理部と、前記信号処理部で処理された情報を記憶する記憶部と、前記記憶部に記憶した情報を前記外部機器に送信する送信部とを有し、前記外部機器は、前記光学情報読取装置から情報を受け取る受信部と、前記ホストへ情報を送信する送信部とを有し、前記ホストは前記外部機器からの情報を受け取る受信部を有し、前記光学情報読取部により読み取った光学情報と補助光学情報を前記外部機器を介して前記ホストに伝達することで前記印刷物に記載された商品を特定して商品の発注を行う商品発注システム。
【請求項５】
外部機器はホストから発注がされた旨の情報を受信する受信部と、この受信した情報を表示する表示部を有し、この情報を前記表示部に表示することで発注がされたことが確認可能となる請求項２または４記載の商品発注システム。
【発明の詳細な説明】
【技術分野】
【０００１】
本発明は訪問販売や通信販売などの商取引または物流管理において、カタログなどの印刷物と光学情報読取装置により行う商品の特定方法および商品発注システムに関するものである。
【背景技術】
【０００２】
一般にカタログなどの印刷物を利用して商取引を合理化する場合、印刷物にバーコードなどの光学情報を印刷し、光学情報読取装置を用いて商品の特定を行うことが多い。
【０００３】
図３、図４は従来のカタログなどの印刷物を利用した商取引の一例を示すものである。このカタログなどの印刷物を利用した商取引を図３、図４を用いて説明する。
【０００４】
図３において、１はカタログなどの印刷物であり、図４はその一部を拡大したものである。商品５の発注者は、光学情報読取装置２を用いて、カタログなどの印刷物１に印刷された発注すべき商品のバーコード１４を読みとり、商品の特定を行う。読み取った情報は、光学情報読取装置２で処理し記憶され、外部機器３を用いて電話回線、インターネットなどの通信手段を利用し、ホスト４に送られる。ホスト４では、バーコード１４によって特定された商品の受発注処理が行われる。また、カタログなどの印刷物のページ特定情報と、そのページ内の位置情報を取得することにより、商品の特定を行うものもある（例えば特許文献１参照）。
【特許文献１】特開２００２−７４０８５号公報
【発明の開示】
【発明が解決しようとする課題】
【０００５】
しかしながら、上記従来の構成では、商品５に様々な指定が必要となる場合、例えばバーコード１４のようにサイズの指定が必要となる場合や色の指定が必要となる場合には、その組み合わせ分の商品印刷が必要となるため、カタログなどの印刷物のページ数を増やす必要が発生する。そして、カタログなどの印刷物のページ増加は、印刷、輸送コストの増加を招き、また冗長度の高い印刷物は一覧性を阻害する。
【０００６】
本発明は、上記従来の課題に鑑み、カタログなどの印刷物のページ増加を招くことなく、商取引を合理化する手段を提供することを目的とする。
【課題を解決するための手段】
【０００７】
上記目的を達成するために、本発明の商品特定方法は、カタログなどの印刷物と光学情報読取装置により行う商品の特定方法であって、前記印刷物は、この印刷物の複数の頁に設けられておりこの印刷物とその頁を特定する光学情報と、前記印刷物に記載された商品に関連する数字で表される数値コードとを有し、前記光学情報読取装置は、前記光学情報を読み取る光学情報読取部と、前記数値コードを入力するためのキー入力部と、読み取った情報および入力された情報を処理する信号処理部と、前記信号処理部で処理された情報を記憶する記憶部とを有し、前記光学情報読取部により読み取った光学情報と、前記キー入力部により入力された数値コードにより前記印刷物に記載された商品の特定を行うものである。
【０００８】
また、本発明の商品発注システムは、カタログなどの印刷物と、光学情報読取装置と、前記光学情報読取装置から情報を受け取る外部機器と、前記外部機器からの情報を受け取り商品の発注を管理するホストとからなる商品発注システムであって、前記印刷物は、この印刷物の複数の頁に設けられおりこの印刷物とその頁を特定する光学情報と、前記印刷物に記載された商品に関連する数字で表される数値コードとを有し、前記光学情報読取装置は、前記光学情報を読み取る光学情報読取部と、前記数値コードを入力するためのキー入力部と、読み取った情報および入力された情報を処理する信号処理部と、前記信号処理部で処理された情報を記憶する記憶部と、前記記憶部に記憶した情報を前記外部機器に送信する送信部とを有し、前記外部機器は、前記光学情報読取装置からの情報を受け取る受信部と、前記ホストへ情報を送信する送信部とを有し、前記ホストは、前記外部機器からの情報を受け取る受信部とを有し、前記光学情報読取部により読み取った光学情報と、前記キー入力部により入力された数値コードを前記外部機器を介して前記ホストに伝達することで前記印刷物に記載された商品を特定して商品の発注を行うものである。
【０００９】
また、本発明の商品特定方法は、カタログなどの印刷物と前記印刷物とは別冊子である補助印刷物と光学情報読取装置により行う商品の特定方法であって、前記印刷物は複数の商品とこれら商品各々に対応付けられた光学情報を有し、前記補助印刷物は前記商品に対応付けられた補助光学情報を有し、前記光学情報読取装置は、前記光学情報や前記補助光学情報を読み取る光学情報読取部と、読み取った情報を処理する信号処理部と、前記信号処理部で処理された情報を記憶する記憶部とを有し、前記光学情報読取部により光学情報と補助光学情報を読み取ることで前記印刷物に記載された商品の特定を行うものである。
【００１０】
また、本発明の商品発注システムは、カタログなどの印刷物と、前記印刷物とは別冊子である補助印刷物と、光学情報読取装置と、前記光学情報読取装置から情報を受け取る外部機器と、前記外部機器からの情報を受け取り商品の発注を管理するホストとからなる商品発注システムであって、前記印刷物は複数の商品とこれら商品各々に対応付けられた光学情報を有し、前記補助印刷物は前記商品に対応付けられた補助光学情報を有し、前記光学情報読取装置は、前記光学情報や前記補助光学情報を読み取る光学情報読取部と、読み取った情報を処理する信号処理部と、前記信号処理部で処理された情報を記憶する記憶部と、前記記憶部に記憶した情報を前記外部機器に送信する送信部とを有し、前記外部機器は、前記光学情報読取装置から情報を受け取る受信部と、前記ホストへ情報を送信する送信部とを有し、前記ホストは前記外部機器からの情報を受け取る受信部を有し、前記光学情報読取部により読み取った光学情報と補助光学情報を前記外部機器を介して前記ホストに伝達することで前記印刷物に記載された商品を特定して商品の発注を行うものである。
【００１１】
また、本発明の商品発注システムは、外部機器がホストから発注がされた旨の情報を受信する受信部と、この受信した情報を表示する表示部を有し、この情報を前記表示部に表示することで発注がされたことが確認可能となるものである。
【発明の効果】
【００１２】
以上のように、本発明は、光学情報読取装置により印刷物に設けられた光学情報を読み取り、印刷物に記載された数値コードを光学情報読取装置にキー入力することで印刷物に記載された商品を特定することができるので、商品を特定するために多くの光学情報を作成して印刷物に設ける必要がなくなり、印刷物のページの増加等を抑制することができる。
【発明を実施するための最良の形態】
【００１３】
（実施の形態１）
以下、本実施の形態における商品の特定方法および商品発注システムについて、図１を用いて説明する。
【００１４】
図１において、１は印刷物の一例であるカタログであり、商品発注者は所望する商品５が掲載されているページのページ情報バーコード６を光学情報読取装置であるバーコードリーダ２で読み取る。続けて商品５の注文コード７の記述に従い、数値が対応付けられてる所望のサイズ、色のコードをバーコードリーダ２に設けられているキーにより数値として入力して商品の特定を行う。バーコードリーダ２において、読み取られたページ情報バーコード６は、前記バーコードリーダ２の信号処理部で処理され、キー入力された注文コード７と合わせて、前記バーコードリーダ２の記憶部に記憶される。
【００１５】
図１において、３はバーコードリーダ２やホスト４と通信を行うための通信手段を有するＬモード端末である。そして、このＬモード端末３にバーコードリーダ２が接続されている場合には、そのバーコードリーダ２の個体識別番号と、このバーコードリーダ２に蓄えられているページ情報バーコード６と、キー入力された注文コード７を電話網やインターネットなどの通信網を介してホスト４に送信する。
【００１６】
そしてこのホスト４には、バーコードリーダ２の個体識別番号と発注者の住所などを管理する発注者管理データベース９や、カタログ１の各ページに付与されているページ情報バーコード６と各ページに掲載されている商品群との関連付けデータが蓄えられている商品管理データベース１０などを内蔵するデータベース８がある。そしてホスト４は、Ｌモード端末３から発注データが送られてくると、データベース８内の発注者管理データベース９からバーコードリーダ識別番号をキーにして商品発注者を特定し、また、ページ情報バーコード６と注文コード７をキーにして前記データベース８内の商品管理データベースから、商品画像や詳細情報、発送先などを抽出し、これらの情報を発注確認情報としてＬモード端末３に返信する。
【００１７】
そして、商品発注者は、Ｌモード端末３に設けられている表示部に表示された所望する商品５の商品情報や詳細情報や発送先などを確認し、Ｌモード端末３のキー入力や個人認証手段またはバーコードリーダ２のキー入力によって承諾サインを返信する。この承諾サインがホスト４に返信され発注が行われると、ホスト４はＬモード端末３に発注がされた旨の情報を送信し、Ｌモード端末３はその情報を受信して表示部に表示する。これにより、商品発注者は商品が発注されたことを確認することができる。また、決定された注文内容は、Ｌモード端末３に設けられている印刷手段などによって印刷することで商品発注の履歴などを残すことができる。
【００１８】
以上のように、バーコードリーダ２によるページ情報バーコード６の読み取りと、バーコードリーダ２のキー入力部による注文コード７のキー入力とにより商品を特定することができる。そして、このようにページ情報バーコード６の読み取りと、注文コード７のキー入力とにより商品を特定できるようにすることで、色やサイズなどの組み合わせ毎に多くのバーコードを作成して印刷物に印刷する必要がなくなり、多くのバーコードを印刷することによる印刷物のページの増加等を抑制することができる。
【００１９】
また、カタログ１の各ページは、各ページに付されたページ情報バーコード６によって他ページと区別され、そのページ内に記載されている商品の色やサイズなどに関連付けられた数値で表されるキー入力用コードは、ページ内の商品数分付与すればよく、またこのキー入力用コードは少ない桁数とすることができるので、ページに記載するデータ量を削減することができる。
【００２０】
また、キー入力用コードは、各ページがページ情報バーコード６によって特定されるため、その他ページと同一のキー入力用コードが使用可能であり、カタログ１とは別冊子としたキー入力用コードを記載した共通メニューシートを作成しておくことにより、入力の簡便化を図ることもできる。
【００２１】
また、バーコードリーダ２は所望する商品の発注データを複数件記憶することができるので、バーコードリーダ２がＬモード端末３と接続されていない状態でも、カタログ１とバーコードリーダ２があればどこでも発注記憶作業を行うことができる。
【００２２】
（実施の形態２）
以下、本実施の形態における商品の特定方法および商品発注システムについて、図２を用いて説明する。
【００２３】
図２において、１はカタログであり、商品発注者はカタログ１に記載されており所望する商品５に対応付けられて記載されている商品バーコード１１をバーコードリーダ２により読み取る。続けて、カタログ１とは別冊子である補助バーコードシート１２に記載されており、商品の所望のサイズや所望の色等に対応付けられた補助バーコード１３をバーコードリーダ２で読み取ることで商品の特定を行う。なお、この補助バーコードシート１２は、カタログ１の各ページで共通して使用できるようカタログ１とは別冊子となっており、別冊子となっているのでカタログ１の各ページ単位の情報掲載量を圧迫することはない。
【００２４】
そして、バーコードリーダ２において読み取られた商品バーコード１１はバーコードリーダ２の信号処理部で処理され、後に読み取ったサイズや色等に対応付けられた複数の補助バーコード１３は信号処理部で処理されると共に商品バーコード１１と関連づけてバーコードリーダ２の記憶部に記憶される。
【００２５】
図２において、３はバーコードリーダ２やホスト４と通信を行うための通信手段を有するＬモード端末である。そして、このＬモード端末３にバーコードリーダ２が接続されている場合には、バーコードリーダ２は、個体識別番号と、このバーコードリーダ２に記憶されている商品バーコード１１と、この商品バーコード１１に関連付けて記憶されている補助バーコード１３を、Ｌモード端末３および電話網やインターネットなどの通信網を介してホスト４に送信する。
【００２６】
そしてこのホスト４には、バーコードリーダ２の個体識別番号と発注者の住所などを管理する発注者管理データベース９や、カタログ１に掲載されている商品バーコード１１及び補助バーコードの組み合わせで特定できる商品群の関連付けデータが蓄えられている商品管理データベース１０などを内蔵するデータベース８がある。そしてホスト４は、Ｌモード端末３から発注データが送られてくると、データベース８内の発注者管理データベース９からバーコードリーダ２の識別番号をキーにして商品発注者を特定し、また、商品バーコード１１に含まれる商品コードと補助バーコード１３に含まれるサイズ、色のコードをキーにして前記データベース８内の商品管理データベース１０から、商品画像や詳細情報や発送先などを抽出し、これらの情報を発注確認情報としてＬモード端末３に返信する。
【００２７】
そして、商品発注者は、Ｌモード端末３に設けられている表示部に表示された所望する商品５の商品情報や詳細情報や発送先などを確認し、Ｌモード端末３によるキー入力やバーコードリーダ２によるキー入力によって承諾サインを返信する。また、決定された注文内容は、Ｌモード端末３に設けられている印刷手段により印刷することで商品発注の履歴などを残すことができる。
【００２８】
以上のように、バーコードリーダ２によるカタログ１に設けられている商品に対応付けられた商品バーコード１１の読み取りと、カタログ１とは別冊子として設けられた補助バーコードシート１２に記載されている補助バーコード１３を読み取ることで商品を特定することができる。そして、商品バーコード１１の読み取りと、別冊子の補助バーコード１３を読み取ることにより商品を特定できるようにすることで、色やサイズなどの組み合わせ毎に多くのバーコードを作成してカタログ１に印刷する必要がなくなり、多くのバーコードを印刷することによるカタログ１のページの増加等を抑制することができる。
【００２９】
また、補助バーコードシート１２は別冊子としているので、カタログ１の各ページで共通利用が可能であり、入力の簡便化を図ることもできる。
【産業上の利用可能性】
【００３０】
以上のように、本発明は、光学情報読取装置により印刷物に設けられた光学情報を読み取り、印刷物に記載された数値コードを光学情報読取装置にキー入力することで印刷物に記載された商品を特定することができるので、商品を特定するために多くの光学情報を作成して印刷物に設ける必要がなくなり、印刷物のページの増加等を抑制することができるので、光学情報読取装置を用いたカタログ販売などに有用である。
【図面の簡単な説明】
【００３１】
【図１】本発明の実施の形態１における商品発注システムの概要図
【図２】本発明の実施の形態１における商品発注システムの概要図
【図３】従来の商品発注システムの概要図
【図４】従来の商品発注システムにおける印刷物の部分拡大図
【符号の説明】
【００３２】
１  カタログ
２  バーコードリーダ
３  Ｌモード端末
４  ホスト
５  商品
６  ページ情報バーコード
７  注文コード
８  データベース
９  発注者管理データベース
１０  商品管理データベース
１１  商品バーコード
１２  補助バーコードシート
１３  補助バーコード
１４  バーコード
【図１】
2005142903.tif 000003
【図２】
2005142903.tif 000004
【図３】
2005142903.tif 000005
【図４】
2005142903.tif 000006